(57)【要約】      （修正有）【課題】カード体挿抜時のコンタクトの意図しない変形を防止するとともに、コンタクトの誤接触による短絡を防止することができるカードコネクタの提供。【解決手段】絶縁性合成樹脂からなる底板部上にカード体２が挿入されるカード挿入部が形成されたハウジングと、カード体２の片面側に露出した信号伝達端子ａ１〜ａ６と接触する複数のコンタクトとを備え、コンタクトに、一端を前記底板部に支持される支持端部とし、他端を底板部に対し移動可能な可動端部とした弾性接触片部を備えてなるカードコネクタ１において、可動端部に絶縁性部材からなる絶縁被覆体を備え、絶縁被覆体が可動端部とカード体２との間に介在されるようにした。【選択図】図３
2014154351.tif 000002
【特許請求の範囲】
【請求項１】
絶縁性合成樹脂からなる底板部を有し、該底板部上にカード体が挿入されるカード挿入部が形成されたハウジングと、前記カード挿入部の内底部より突出して前記カード体の片面側に露出した信号伝達端子と接触する導電性金属材からなる複数のコンタクトとを備え、
前記コンタクトに、一端を前記底板部に支持される支持端部とし、他端を前記底板部に対し移動可能な可動端部とし、且つ、前記支持端部と可動端部との間に前記信号伝達端子と接触する接点部が前記カード挿入部の内底部より浮き上がった配置に形成されてなる弾性接触片部を備えてなるカードコネクタにおいて、
前記可動端部に絶縁性部材からなる絶縁被覆体を備え、該絶縁被覆体が前記可動端部とカード体との間に介在されるようにしたことを特徴としてなるカードコネクタ。
【請求項２】
前記絶縁被覆体は、カード挿抜方向端部の一方又は両方に先端側に向けて傾斜したカード誘導部を備えた請求項１に記載のカードコネクタ。
【請求項３】
前記底板部にカード体挿抜方向に向けた開口窓が形成され、前記支持端部が前記開口窓の一端側縁部に支持され、且つ、前記弾性接触片部の可動端側端部が前記開口窓の他端側に挿入された請求項１又は２に記載のカードコネクタ。
【請求項４】
前記底板部は、前記カード挿入部の内底側に露出し、且つ前記可動端部下に配置される被摺接面部を一体に有する金属製の被摺接部材を備え、
前記カード体をカード挿入部に挿入し、前記弾性接触片部が前記カード体に押圧されて弾性変形した際に、前記可動端部が前記被摺接面部に摺接し、前記弾性接触片部の両端が前記底板部に支持されるようにした請求項１、２又は３に記載のカードコネクタ
【請求項５】
前記可動端部に導電性金属材が露出した摺動部と、該摺動部の側縁より水平方向に延出した形状の固定核部とを一体に備え、該固定核部に絶縁被覆体が固定され、且つ、前記被摺接面部を前記摺動部下に配置してなる請求項４に記載のカードコネクタ。
【請求項６】
前記絶縁被覆体は、成形連結部を介して前記底板部と一体に成形され、且つ、成形連結部を除去することにより前記底板部から切り離されてなる請求項１〜４又は５に記載のカードコネクタ。
【発明の詳細な説明】
【技術分野】
【０００１】
本発明は、携帯電話機やスマートフォン等の電子機器にＩＣカードやフラッシュメモリーカード等のカードを接続するためのカードコネクタに関する。
【背景技術】
【０００２】
従来、携帯電話機やスマートフォン等の電子機器の外部記憶媒体には、片面側に複数の信号伝達端子を備えたＩＣカード等のカードが使用されており、このカードと電子機器に搭載されたプリント配線基板とをカードコネクタを介して電気的に接続させている。
【０００３】
外部記憶媒体に使用されるカードとしては、例えば、図１０に示す如き構造のものが使用され、導電性金属薄板材が互いに絶縁された状態に仕切られることにより複数の信号伝達端子（パッド）ａ１〜ａ６を形成され、且つ、信号伝達端子の内の一ａ１が導電性金属薄板材の中央部分ａ７と導通した状態になっている。
【０００４】
このようなカードの接続に使用されるカードコネクタは、ＩＣカード等のカードを収容したカードアダプター等が挿入されるカード挿入部を有するハウジングと、カード挿入部の底部より突出させた弾性接触片部を有する導電性金属板材からなる複数のコンタクトとを備え、カード体をカード挿入部に挿入することで、カード体に保持されたカードの片面側に形成された信号伝達端子（パッド）が対応するコンタクトの弾性接触片部と接触し、プリント配線基板とカードとを電気的に接続させるようになっている。
【０００５】
コンタクトには、従来、カード体挿入方向に向けた弾性接触片部のカード体挿入方向手前側端部をハウジング底部に支持させて他端接点側を底部より浮き上がらせた片持ち構造のものが広く使用されている（例えば、特許文献１を参照）。
【０００６】
しかしながら、このような片持ち構造のコンタクトを使用した場合、カード体の挿抜動作、特に、カード未収容時のカードアダプターやカードトレイを引き抜く際に、カード若しくはカードアダプター等と底面部より浮き上がった状態の弾性接触片部の先端部とが衝突し、コンタクトの弾性接触片部が意図しない方向に変形し、座屈してしまう虞があった。
【０００７】
そこで、近年では、コンタクトの意図しない変形を防止すべく、頂部に接点部が形成されたへの字状の弾性接触片部を有するコンタクトを使用し、カード体挿抜動作時のカード若しくはカードアダプター等と弾性接触片部の先端部との衝突を回避し、弾性接触片部の意図しない方向への変形を抑制し、コンタクトの座屈を防止するようにしたカードコネクタも開発されている（例えば、特許文献２を参照）。
【０００８】
このようなカードコネクタでは、モールドケースの底板部に底板厚み方向に貫通した開口窓が形成され、この開口窓の一方の端縁部にへの字状の弾性接触片部の一端が固定されるとともに、開口窓の他端部に弾性接触片部の他端（可動端部）側部分が移動可能な状態に挿入され、可動端部のカード体との接触が防止されている。
【０００９】
また、このカードコネクタでは、カードコネクタの小型・低背化にも対応すべく、弾性接触片部の弾性（バネ定数）の向上を図るため、底板部の可動端部下に配置される被摺動部を備え、カード体の挿入に伴い弾性接触片部がカード体に押圧されて弾性変形する際に、可動端部が被摺動部に摺接し、弾性接触片部の両端が底板部に支持されるようにしている。
【先行技術文献】
【特許文献】
【００１０】
【特許文献１】特開平１１  −２５０２０２号公報
【特許文献２】特開２００８−０９７９４７号公報
【発明の概要】
【発明が解決しようとする課題】
【００１１】
しかしながら、上述の如き従来の技術では、可動端部の浮き上がり方向の移動が規制されていない場合、カード体挿入時に弾性接触片部の可動端部が過剰に浮き上がってしまったり、落下等により衝撃が加わることで弾性接触片部が変形してしまったりする虞があり、その場合に図１０に示す如きカードが使用されていると、コンタクトが本来接触すべき信号伝達端子とは別の信号伝達端子と接触し、当該誤接触による短絡が懸念される。
【００１２】
一方、特許文献２に示す従来例のように、絶縁性合成樹脂材製の底板部に可動端部上に張り出した肩部を一体に設け、可動端部の浮き上がり方向の移動が規制されている場合、弾性接触片部の弾性変形に伴い金属板材からなる可動端部が被摺動部と肩部との間を摺動するため、摺動する可動端部のエッジ部分に絶縁性合成樹脂からなる被摺動部又は肩部の内面部が削られ、その削られた樹脂材がコンタクトと信号伝達端子との接触の妨げとなる虞があり、また、当該挿入溝内底部又は肩部の削られた部分に可動端が引っ掛かることで、弾性接触片部の所定の挙動に支障が生じ、それに伴う弾性接触片部の意図しない変形や接触不良等が懸念される。
【００１３】
本発明は、このような従来の問題に鑑み、カード体挿抜時のコンタクトの意図しない変形を防止するとともに、コンタクトの誤接触による短絡を防止することができるカードコネクタの提供を目的としてなされたものである。
【課題を解決するための手段】
【００１４】
上述の如き従来の問題を解決するための請求項1に記載の発明の特徴は、絶縁性合成樹脂からなる底板部を有し、該底板部上にカード体が挿入されるカード挿入部が形成されたハウジングと、前記カード挿入部の内底部より突出して前記カード体の片面側に露出した信号伝達端子と接触する導電性金属材からなる複数のコンタクトとを備え、前記コンタクトに、一端を前記底板部に支持される支持端部とし、他端を前記底板部に対し移動可能な可動端部とし、且つ、前記支持端部と可動端部との間に前記信号伝達端子と接触する接点部が前記カード挿入部の内底部より浮き上がった配置に形成されてなる弾性接触片部を備えてなるカードコネクタにおいて、前記可動端部に絶縁性部材からなる絶縁被覆体を備え、該絶縁被覆体が前記可動端部とカード体との間に介在されるようにしたことにある。
【００１５】
請求項２に記載の発明の特徴は、請求項１の構成に加え、前記絶縁被覆体は、カード挿抜方向端部の一方又は両方に先端側に向けて傾斜したカード誘導部を備えたことにある。
【００１６】
請求項３に記載の発明の特徴は、請求項１又は２の構成に加え、前記底板部にカード体挿抜方向に向けた開口窓が形成され、前記支持端部が前記開口窓の一端側縁部に支持され、且つ、前記弾性接触片部の可動端側端部が前記開口窓の他端側に挿入されたことにある。
【００１７】
請求項４に記載の発明の特徴は、請求項１、２又は３の構成に加え、前記底板部は、前記カード挿入部の内底側に露出し、且つ前記可動端部下に配置される被摺接面部を一体に有する金属製の被摺接部材を備え、前記カード体をカード挿入部に挿入し、前記弾性接触片部が前記カード体に押圧されて弾性変形した際に、前記可動端部が前記被摺接面部に摺接し、前記弾性接触片部の両端が前記底板部に支持されるようにしたことにある。
【００１８】
請求項５に記載の発明の特徴は、請求項４の構成に加え、前記可動端部に導電性金属材が露出した摺動部と、該摺動部の側縁より水平方向に延出した形状の固定核部とを一体に備え、該固定核部に絶縁被覆体が固定され、且つ、前記被摺接面部を前記摺動部下に配置してなることにある。
【００１９】
請求項６に記載の発明の特徴は、請求項１〜４又は５の構成に加え、前記絶縁被覆体は、成形連結部を介して前記底板部と一体に成形され、且つ、成形連結部を除去することにより前記底板部から切り離されてなることにある。
【発明の効果】
【００２０】
本発明に係るカードコネクタは、上述したように、絶縁性合成樹脂からなる底板部を有し、該底板部上にカード体が挿入されるカード挿入部が形成されたハウジングと、前記カード挿入部の内底部より突出して前記カード体の片面側に露出した信号伝達端子と接触する導電性金属材からなる複数のコンタクトとを備え、前記コンタクトに、一端を前記底板部に支持される支持端部とし、他端を前記底板部に対し移動可能な可動端部とし、且つ、前記支持端部と可動端部との間に前記信号伝達端子と接触する接点部が前記カード挿入部の内底部より浮き上がった配置に形成されてなる弾性接触片部を備えてなるカードコネクタにおいて、前記可動端部に絶縁性部材からなる絶縁被覆体を備え、該絶縁被覆体が前記可動端部とカード体との間に介在されるようにしたことにより、カード体挿抜時に弾性接触片の縁部とカード体との接触を回避し、コンタクトの座屈を防止することができる。また、万が一、カード体挿入時に弾性接触片部の可動端部が過剰に浮き上がってしまったり、落下等により衝撃が加わることで弾性接触片部が変形しまったりして、可動端部が底板部の内底面より浮き上がった状態になったとしても、可動端部とカード体との間に絶縁被覆体が介在されるので、コンタクトの誤接触、即ち、コンタクトが本来接触すべき信号伝達端子とは別の信号伝達端子と接触するのを防止し、当該誤接触による短絡を防止できるようになっている。
【００２１】
また、本発明において、前記絶縁被覆体は、カード挿抜方向端部の一方又は両方に先端側に向けて傾斜したカード誘導部を備えたことにより、カード体を好適に誘導し、カード体挿抜時にコンタクトの端縁部にカード体が接触することによるコンタクトの座屈を防止できる。
【００２２】
更に、本発明において、前記底板部にカード体挿抜方向に向けた開口窓が形成され、前記支持端部が前記開口窓の一端側縁部に支持され、且つ、前記弾性接触片部の可動端側端部が前記開口窓の他端側に挿入されたことにより、カードコネクタの低背化を図ることができるとともに、可動端部縁とカード体との接触を回避し、コンタクトの座屈を防止することができる。
【００２３】
更にまた、本発明において、前記底板部は、前記カード挿入部の内底側に露出し、且つ前記可動端部下に配置される被摺接面部を一体に有する金属製の被摺接部材を備え、前記カード体をカード挿入部に挿入し、前記弾性接触片部が前記カード体に押圧されて弾性変形した際に、前記可動端部が前記被摺接面部に摺接し、前記弾性接触片部の両端が前記底板部に支持されるようにしたことにより、カードコネクタの小型化に伴い、コンタクトを構成する導電性金属材の板厚を薄くせざるを得ない場合であっても、弾性接触片部の弾性（バネ定数）の向上を図ることができるとともに、コンタクトと被摺接面部との互いに摺接する部分が金属材により形成されているので、摺動に伴う削れ塵の発生や削れによる挙動不良等を防止することができる。
【００２４】
また、本発明において、前記可動端部に導電性金属材が露出した摺動部と、該摺動部の側縁より水平方向に延出した形状の固定核部とを一体に備え、該固定核部に絶縁被覆体が固定され、且つ、前記被摺接面部を前記摺動部下に配置してなることにより、可動端部に絶縁被覆体を備えていても被摺接面部に金属部分のみが摺接するようにできる。
【００２５】
また、本発明において、前記絶縁被覆体は、成形連結部を介して前記底板部と一体に成形され、且つ、成形連結部を除去することにより前記底板部から切り離されてなることにより、製造工程の短縮を図ることができ、製造費用の低減を図ることができる。
【図面の簡単な説明】
【００２６】
【図１】本発明に係るカードコネクタの一例を示す分解斜視図である。
【図２】同上のカードコネクタの縦断面図である。
【図３】図１中のカード体（カードトレイ）を示す底面図である。
【図４】図１中のハウジングのシールドカバーを取り外した状態を示す斜視図である。
【図５】同上のハウジングを下側から見た状態を示す斜視図である。
【図６】同上の平面図である。
【図７】（ａ）（ｂ）は絶縁被覆体を固定した状態の手前側のコンタクトを示す斜視図である。
【図８】（ａ）〜（ｃ）は絶縁被覆体の形成方法を説明するための概略平面図である。
【図９】本発明に係るカードコネクタの手前側コンタクト部分を示す部分拡大縦断面図であって、（ａ）はカード未挿入状態、（ｂ）はカード挿入状態を示す図である。
【図１０】カードの一例を示す底面図である。
【発明を実施するための形態】
【００２７】
次に、本発明に係るカードコネクタの実施の態様を図１〜図９に示した実施例に基づいて説明する。尚、符号１はカードコネクタである。また、上述した従来例と同様の構成には同一符号を付して説明し、図中符号ＡはＩＣカード等のカードである。
【００２８】
カードコネクタ１は、カード体２が挿入されるカード挿入部３を有するハウジング４と、ハウジング４に支持されてカード挿入部３の内底部より突出した導電性金属材からなる複数のコンタクト５，５...、６，６...とを備え、カード挿入部３に挿入されたカード体２の片面側に露出した信号伝達端子ａ１〜ａ６が対応する各コンタクトと接触することにより、カードコネクタ１を介してカードＡと接続基板とを電気的に接続するようになっている。
【００２９】
カード体２は、図３に示すように、カード挿抜方向手前側端面に開口したカード収容部７を有するカードトレイ８を備え、前記開口よりカードＡを挿し込むことによりカードトレイ８にカードＡが片面側に信号伝達端子ａ１〜ａ６を露出させた状態で収容されるようになっている。
【００３０】
また、カードトレイ８には、手前側端部に引き出し操作部９が備えられ、この引き出し操作部９を掴む等してカードトレイ８をハウジング４より引き出すことにより、カードトレイ８に保持されたカードＡをカード挿入部３より引抜くことができるようになっている。
【００３１】
カードＡは、例えば、図１０に示す如きＩＣカードであって、カード全幅に比してカード全長が長い矩形状に形成され、矩形状の一方の隅部に斜め方向に切欠いた形状の位置決め部Ａａが形成されている。
【００３２】
この位置決め部Ａａは、カードトレイ８のカード収容部７奥側に形成された当て止め部１０に当て止めされ、それによりカードトレイ８に対して位置決めがされるとともに、当て止め部１０を介してカードトレイ８に作用する引き出し方向の力がカードＡに伝達されるようになっている。
【００３３】
このカードＡの片面には、導電性金属薄板材を互いに絶縁させた状態に仕切ることにより複数の信号伝達端子（パッド）ａ１〜ａ６を形成され、信号伝達端子ａ１〜ａ６の内の一ａ１が導電性金属薄板材の中央部分ａ７と導通した状態になっている。
【００３４】
ハウジング４は、絶縁性合成樹脂製の底板部１１を有するハウジング本体１２と、その上面部、背面部及び側面部を覆う導電性金属板材からなるシールドカバー１３を組み合わせることにより、そのカード挿入方向手前側端が開口した中空形状に形成されている。
【００３５】
ハウジング本体１２は、図４〜図６に示すように、合成樹脂製の平板状の底板部１１と、底板部１１の両側縁より立ち上げた側壁部１４，１４とを備え、上面側が凹んだ形状のカード挿入部３が形成され、その上面部がシールドカバー１３によって覆われている。
【００３６】
底板部１１には、カード体挿入方向奥側に底板厚み方向に貫通した複数の矩形状の奥側開口窓１５，１５...が互いに平行配置にコネクタ幅方向に並んで形成されるとともに、カード挿入方向手前側部に底板厚み方向に貫通した複数の手前側開口窓１６，１６...が互いに平行配置にコネクタ幅方向に並んで形成されている。
【００３７】
また、底板部１１には、導電性金属板材をプレス加工することにより図６に示す如き配置に形成された奥側のコンタクト５，５...、手前側のコンタクト６，６...及び被摺接部材１７．１７...がインサート成形により一体的に組み込まれ、底板部１１奥側の各開口窓１５，１５...の位置に合わせて各奥側のコンタクト５，５...が互いに平行に並べて配列され、底板部１１手前側の各開口窓１６，１６...の位置に合わせて各手前側のコンタクト６，６...が互いに平行に並べて配列されている。
【００３８】
奥側のコンタクト５，５...は、矩形枠状の基部２０と、基部２０の内縁より斜め上向きに切り起こした形状の弾性接触片部２１と、基部２０の一方の外側縁より奥側に向けて延出された基板接続端子部２２とを備え、基部２０の一端が開口窓１５の内周縁部にインサート成形により埋設されるとともに基部２０の他端が開口窓１５の内周縁部に形成された段部２３上に配置され、弾性接触片部２１の先端に形成された接点部２１ａが開口窓１５を通して底板部１１より突出してカード挿入部３の内底部より浮き上がった状態に配置されるようになっている。
【００３９】
尚、各奥側のコンタクト５は、カード挿入部３にカード体２が挿入され、カード体２より弾性接触片部２１が下向きの押圧力を受けた際、弾性接触片部２１の下向きの弾性変形に連動して基部２０もその段部２３側端部を自由端として弾性変形できるようになっている。
【００４０】
そして、この基部２０が弾性接触片部２１と連動して弾性変形することにより、コンタクト５は、良好な弾性変形特性を示し、カード体２に対し安定した接触状態が得られるようになっている。
【００４１】
また、各コンタクト５，５...の基板接続端子部２２は、底板部１１の奥側端縁より外向きに突出し、接続基板上に形成されたパターンに半田付けできるようになっている。
【００４２】
一方、手前側のコンタクト６，６...は、図７に示すように、導電性金属板材を打ち抜き・折り返し加工することにより形成され、インサート成型により底板部１１に埋設される固定片部３０と、側面視への字状の弾性接触片部３１と、固定片部３０と弾性接触片部３１とを連結する連結片部３２と、固定片部３０の一端より外向きに延出した形状の基板接続端子片部３３とを一体に備えている。
【００４３】
また、各手前側のコンタクト６，６...は、弾性接触片部３１の可動端部３４に絶縁性部材からなる絶縁被覆体３５を備え、絶縁被覆体３５が可動端部３４とカード体２との間に介在されるようになっている。
【００４４】
固定片部３０は、カード挿抜方向に向けた細長板状に形成され、そのカード挿抜方向奥側に基板接続端子片部３３が、手前側に連結片部３２がそれぞれ一体に形成されている。
【００４５】
基板接続端子片部３３は、底板部１１の奥側端縁より外向きに突出し、奥側のコンタクト５の基板接続端子片部２２と互いに平行に並んで配置され、接続基板上に形成された接続パターンに半田付けにより接続できるようになっている。
【００４６】
弾性接触片部３１は、一端を底板部１１に支持させる支持端部３６とし、他端を底板部１１に対し移動可能な可動端部３４とする側面視へ字状に形成され、支持端部３６と可動端部３４との間にカード体２の信号伝達端子ａ１〜ａ６と接触する接点部３７が底板部１１に組み込まれた際にカード挿入部３の内底部より浮き上がった配置となるように形成されている。
【００４７】
即ち、弾性接触片部３１は、支持端部３６よりカード体挿入方向上側に向けて傾斜した形状の支持端部側傾斜片３８と、支持端部側傾斜片３８の先端側を円弧状に屈曲させた形状の接点部３７と、接点部３７の他端側よりカード体２挿入方向下側に向けて傾斜した形状の可動側傾斜片３９とを備え、支持端部側傾斜片３８、接点部３７及び可動側傾斜片３９とをもって接点部３７を頂部とするへの字状を成すとともに、可動側傾斜片３９の先端部に可動端部３４が形成されている。
【００４８】
支持端部３６は、コネクタ幅方向に向けた細長平板状に形成され、インサート成型により手前側のコンタクト６，６...が底板部１１に組み込まれることで、手前側開口窓１６，１６...の手前側縁部に形成された段部４０上に配置され、当該段部４０に支持されるようになっている。
【００４９】
また、支持端部３６は、一端がコネクタ幅方向に延出された形状に形成され、当該延出した部分の端部が連結片部３２を介して固定片部３０と連結され、支持端部３６より折り返して弾性接触片部３１と固定片部３０とが互いにカード挿抜方向に向けて平行に配置されるようになっている。
【００５０】
尚、連結片部３２は、手前側開口窓１６内に露出するとともに、固定片部３０側端部を固定端、支持端部３０側端部を自由端とする片持ち支持構造を成すように形成され、弾性接触片部３１と連動して弾性変形できるようになっている。
【００５１】
そして、この連結片部３２が弾性接触片部３１と連動して弾性変形することにより、コンタクト６は、良好な弾性変形特性を示し、カード体２に対し安定した接触状態が得られるようになっている。
【００５２】
可動端部３４は、可動側傾斜片３９の先端側に一体に形成された摺動部４１と、摺動部４１の側縁より水平方向に延出した形状の固定核部４２とを一体に備え、固定核部４２の上面部に絶縁性合成樹脂材からなる絶縁被覆体３５が固定されている。尚、図中符号４３は固定孔であって、この固定孔４３に樹脂が入り込むことにより固定核部４２に絶縁被覆体３５が強固に固定されるようになっている。
【００５３】
尚、導電性金属材からなる摺動部４１は、露出した状態にあって、弾性接触片部３１の弾性変形に伴って被摺接面部４４上面に摺接されるようになっている。
【００５４】
絶縁被覆体３５は、絶縁性合成樹脂材をもって矩形状に形成され、カード挿抜方向端部に先端側に向けて下るように傾斜したカード誘導部４５が形成されている。
【００５５】
また、絶縁被覆体３５は、手前側開口窓１６の内側縁との間に十分な隙間が形成される形状に形成され、可動端部３４の移動を妨げないようになっている。
【００５６】
更に、絶縁被覆体３５は、可動端部３４の上面側に一定の厚みを有するように固定核部４２に固定され、この絶縁被覆体３５が介在されて手前側のコンタクト６，６...の可動端部３４がカード体２に直接接触しないようになっている。
【００５７】
尚、この絶縁被覆体３５は、インサート成形時に底板部１１と一体に成形されるとともに可動端部３４に固定され、且つ、底板部１１から切り離すことにより底板部１１に対し移動可能に形成されている。
【００５８】
具体的には、図８（ａ）に示す如き配置に、各コンタクト５，５...、６，６...、被摺接部材１７．１７...及びハウジング４の側壁部１４，１４を構成する側壁部材を樹脂成型金型内に設置し、その状態でインサート成型を行い絶縁性合成樹脂製の底板部１１を成形するとともに、底板部１１に各コンタクト５，５...、６，６...、被摺接部材１７．１７...及びハウジング４の側壁部１４，１４を構成する側壁部材を組み込む。
【００５９】
尚、手前側のコンタクト６，６...の可動端部３４の摺動部４１は、被摺接部材１７，１７...の被摺接面部４４上に重ね合わせて配置しておく。
【００６０】
このインサート成型の際、絶縁被覆体３５は、成形連結部４６を介して底板部１１と一体に成形されるとともに、固定核部４２と一体化されて可動端部３４に固定される。
【００６１】
尚、絶縁被覆体３５は、成形連結部４６の部分を除き、その外周面と手前側開口窓１６，１６...の内縁との間に隙間が生じるように成形されている。
【００６２】
そして、図８（ｂ）〜図８（ｃ）に示すように、成形連結部４６を切断により除去することにより、絶縁被覆体３５が底板部１１より切り離され、可動端部３４が底板部１１に対し移動可能となる。
【００６３】
被摺接部材１７は、導電性金属板材を打ち抜き・折り曲げ加工することにより形成され、平板状の被摺接面部４４と、底板部１１にインサート成形により埋設される埋設部４７とを一体に備え、被摺接面部４４が手前側開口窓１６，１６...の隅部内底部に配置され、手前側開口窓１６，１６...を通してカード挿入部３の内底側に露出し、且つ弾性接触片部３１の可動端部３４、即ち摺動部４１の下に配置されるようになっている。
【００６４】
尚、被摺接部材１７は、切断片部４８を介して奥側のコンタクト５，５...と一体に形成され、インサート成形後に切断片部４８を切断により除去することにより、奥側のコンタクト５，５...と絶縁されるようになっている。
【００６５】
このように構成されたカードコネクタ１は、弾性接触片部３１がへの字状に形成されたことにより、カード体２の挿抜時に弾性接触片部３１の両端部、特に、可動端部３４の縁部がカード体２と接触し難く、弾性接触片部３１の意図せぬ変形を防止することができる。
【００６６】
また、このカードコネクタ１は、底板部１１に開口窓１６を設け、弾性接触片部３１の支持端部３６と可動端部３４とがそれぞれ開口窓１６内に配置されるようにしたことにより、カードコネクタ１全体の低背化を図ることができる。
【００６７】
更に、可動端部３４に絶縁被覆体３５を備えたことにより、万が一、カード体２挿入時に弾性接触片部３１の可動端部３４が過剰に浮き上がってしまったり、落下等により衝撃が加わることで弾性接触片部３１が変形しまったりして、可動端部３４が底板部１１の内底面より浮き上がった状態になったとしても、図９（ｂ）に示すように、可動端部３４とカード体２との間に絶縁被覆体３５が介在されるので、コンタクトの誤接触、即ち、コンタクトが本来接触すべき信号伝達端子とは別の信号伝達端子と接触するのを防止し、当該誤接触による短絡を防止できるようになっている。
【００６８】
更にまた、このカードコネクタ１では、絶縁被覆体３５にカード誘導部４５を備えたことで、カード体２挿抜時にカード体２がカード誘導部４５に誘導されて可動端部３４縁部がカード体２と接触することによる意図しない変形を防止することができるようになっている。
【００６９】
また、このカードコネクタ１では、弾性接触片部３１の可動端部３４に導電性金属材が露出した摺動部４１と、摺動部４１の側縁より水平方向に延出した形状の固定核部４２とを一体に備え、固定核部４２に絶縁被覆体が固定され、且つ、被摺接面部４４が摺動部４１下に配置されたことにより、カード体２をカード挿入部３に挿入すると、弾性接触片部３１の支持端部側傾斜片３８の上面側にカード体２の縁部が接触し、更にカード体２を押し込むと弾性接触片部３１が弾性変形して可動端部３４の摺動部４１が被摺接面部４４の表面に接触し、カード体２による下向きの押圧力に対して可動端部３４の摺動部４１が被摺接面部４４に反力を取りつつ被摺接面部４４を摺動するようになっている。
【００７０】
一方、支持端部４０は、連結片部３２の手前側開口窓１６内に露出している部分が弾性接触片部３１の弾性変形に連動して弾性変形することにより、開口窓１６の内縁部に形成された段部４０に押当てられるようになっている。
【００７１】
これにより、弾性接触片部３１は、底板部１１に両端部が支持され、信号伝達端子ａ１〜ａ６に対して接点部３７が十分な圧力をもって弾性接触できるようになっている。
【００７２】
また、その際、金属製の被摺接面部４４に対し、導電性金属材が露出した摺動部４１が摺動するようになっているので、当該摺動により絶縁性合成樹脂材が削られることがなく、更には、被摺接面部４４の表面に削れによる段差等が生じないので可動端部３４が被摺接面部４４上を円滑に摺動でき、弾性接触片部３１が安定して動作できるようになっている。
【００７３】
尚、上述の実施例では、絶縁被覆体３５をインサート成形時に底板部１１と一体に形成し、且つ、底板部１１より切り離すことにより形成した例について説明したが、可動端部３４に対する絶縁被覆体３５の固定は、このような構成に拘泥されず、インサート成形前に予めコンタクトに固定しておいてもよい。
【００７４】
また、上述の実施例では、絶縁被覆体３５を絶縁性合成樹脂材により矩形状に成形し、それが可動端部３４の固定核部４２に固定された例について説明したが、絶縁被覆体３５の構成は、上述の実施例に限定されず、例えば、導電性金属材からなる可動端部３４の上面部に絶縁性塗料を塗布することにより形成してもよい。
【００７５】
更に、上述の実施例では、カード体２にカードトレイ８を備えた例について説明したが、カード体２は、カード自体でも良く、カードトレイ８に換えてカートアダプタを使用するものであってもよい。
【符号の説明】
【００７６】
Ａ  カード  
ａ１〜ａ６  信号伝達端子（パッド）
１  カードコネクタ
２  カード体
３  カード挿入部
４  ハウジング
５  コンタクト
６  コンタクト
７  カード収容部
８  カードトレイ
９  引き出し操作部
１０  当て止め部
１１  底板部
１２  ハウジング本体
１３  シールドカバー
１４  側壁部
１５  奥側開口窓
１６  手前側開口窓
１７  被摺接部材
２０  基部
２１  弾性接触片部３１
２２  基板接続端子部
２３  段部
３０  固定片部
３１  弾性接触片部
３２  連結片部
３３  基板接続端子片部
３４  可動端部
３５  絶縁被覆体
３６  支持端部
３７  接点部
３８  支持端部側傾斜片
３９  可動側傾斜片
４０  段部
４１  摺動部
４２  固定核部
４３  固定孔
４４  被摺接面部
４５  カード誘導部
４６  成形連結部
４７  埋設部
４８  切断片部
【図１】
2014154351.tif 000003
【図２】
2014154351.tif 000004
【図３】
2014154351.tif 000005
【図４】
2014154351.tif 000006
【図５】
2014154351.tif 000007
【図６】
2014154351.tif 000008
【図７】
2014154351.tif 000009
【図８】
2014154351.tif 000010
【図９】
2014154351.tif 000011
【図１０】
2014154351.tif 000012